【手続補正書】
【提出日】平成25年2月7日(2013.2.7)
【手続補正１】
【補正対象書類名】特許請求の範囲
【補正対象項目名】全文
【補正方法】変更
【補正の内容】
【特許請求の範囲】
【請求項１】
ネットワークを介して再生装置にコンテンツを提供するコンテンツ提供装置であって、
デジタルデータを取得する取得手段と、
前記取得手段により取得されたデジタルデータからコンテンツを生成するための複数の処理を実行する処理手段と、
前記処理手段により実行可能な複数の処理の中から前記処理手段が実行する処理を前記再生装置が決定できるように、前記処理手段により実行可能な複数の処理の種別と、前記処理手段により実行可能な複数の処理のうち、前記取得手段によるデジタルデータの取得時に設定されていた処理の種別とを前記再生装置において特定可能とするコンテンツ情報を、前記再生装置からのリクエストに応じて、前記再生装置へ送信する送信手段と
を有することを特徴とするコンテンツ提供装置。
【請求項２】
前記コンテンツ情報を受信した再生装置から、処理の種別を指定する指定情報を受信する受信手段を有し、
前記処理手段は、前記受信手段により受信された指定情報で指定された処理を、前記取得手段により取得されたデジタルデータに対して実行し、
前記送信手段は、前記処理手段の処理により生成されたコンテンツを、前記再生装置に送信する
ことを特徴とする請求項１記載のコンテンツ提供装置。
【請求項３】
前記取得手段によるデジタルデータの取得時に設定されていた第１の処理と、前記取得手段によるデジタルデータの取得時に設定されていなかった第２の処理とを指定する指定情報を、前記再生装置から前記受信手段が受信した場合、前記送信手段は、前記処理手段により前記第１及び第２の処理が実行されて生成されたコンテンツを前記再生装置に対して送信することを特徴とする請求項２記載のコンテンツ提供装置。
【請求項４】
前記送信手段は、前記取得手段により取得されたデジタルデータに対して前記指定情報で指定された処理が実行されて生成されたコンテンツと共に、前記コンテンツ情報を前記再生装置に送信する
ことを特徴とする請求項２又は３記載のコンテンツ提供装置。
【請求項５】
前記コンテンツ情報が示す処理の種別には、前記取得手段により取得された画像データのコントラスト比を向上させた画像コンテンツを生成する第１の色変換処理に対応する種別と、前記取得手段により取得された画像データからモノクロの画像コンテンツを生成するための第２の色変換処理に対応する種別とが含まれることを特徴とする請求項１乃至４のうち、いずれか１項記載のコンテンツ提供装置。
【請求項６】
前記コンテンツ情報が示す処理の種別には、前記取得手段により取得された画像データに対して前記処理手段による処理を行わずに送信することを示す種別が含まれることを特徴とする請求項１乃至５のうち、いずれか１項記載のコンテンツ提供装置。
【請求項７】
前記コンテンツ情報が示す処理の種別には、前記取得手段により取得された画像データの画素数を第１の画素数にする第１の画素数変換処理に対応する種別と、前記取得手段により取得された画像データの画素数を前記第１の画素数よりも少ない第２の画素数にする第２の画素数変換処理に対応する種別とが含まれることを特徴とする請求項１乃至６のうち、いずれか１項記載のコンテンツ提供装置。
【請求項８】
コンテンツ提供装置からネットワークを介して受信したコンテンツを再生する再生装置であって、
前記コンテンツ提供装置が取得したデジタルデータからコンテンツを生成するために当該デジタルデータに対して実行可能な複数の処理の種別と、前記コンテンツ提供装置により実行可能な複数の処理のうち、前記コンテンツ提供装置によるデジタルデータの取得時に設定されていた処理の種別とを特定可能とするコンテンツ情報を、前記コンテンツ提供装置から受信する受信手段と、
前記受信手段により受信された前記コンテンツ情報が示す処理の種別のうち、前記コンテンツ提供装置に実行させる処理の種別を決定する決定手段と、
前記決定手段により決定された処理の種別を指定する指定情報を、前記コンテンツ提供装置に送信する送信手段と
を有することを特徴とする再生装置。
【請求項９】
前記コンテンツ提供装置からの画像コンテンツを再生する再生画面の設定に関する設定情報を取得する状況取得手段を有し、
前記決定手段は、前記状況取得手段により取得された設定情報に基づいて、前記コンテンツ提供装置に実行させる処理の種別を決定する
ことを特徴とする請求項８記載の再生装置。
【請求項１０】
前記コンテンツ提供装置からの画像コンテンツを再生する再生画面の周囲の環境光に関する環境光情報を取得する環境取得手段を有し、
前記決定手段は、前記環境取得手段により取得された環境光情報に基づいて、前記コンテンツ提供装置に実行させる処理の種別を決定する
ことを特徴とする請求項８記載の再生装置。
【請求項１１】
前記受信手段により受信されたコンテンツ情報が示す処理の種別を表示画面に表示させる表示制御手段と、
前記表示画面に表示された処理の種別から、前記コンテンツ提供装置に実行させる処理の種別として選択された種別を入力するための入力手段とを有し
前記決定手段は、前記入力手段による入力に基づいて、前記コンテンツ提供装置に実行させる処理の種別を決定する
ことを特徴とする請求項８記載の再生装置。
【請求項１２】
ネットワークを介して再生装置にコンテンツを提供するコンテンツ提供装置が行う処理方法であって、
デジタルデータを取得する取得工程と、
前記取得工程により取得されたデジタルデータからコンテンツを生成するための複数の処理を実行する処理工程と、
前記処理工程により実行可能な複数の処理の中から前記処理工程が実行する処理を前記再生装置が決定できるように、前記処理工程により実行可能な複数の処理の種別と、前記処理工程により実行可能な複数の処理のうち、前記取得工程によるデジタルデータの取得時に設定されていた処理の種別とを前記再生装置において特定可能とするコンテンツ情報を、前記再生装置からのリクエストに応じて、前記再生装置へ送信する送信工程と
を有することを特徴とする処理方法。
【請求項１３】
ネットワークを介して再生装置にコンテンツを提供するコンピュータに、
デジタルデータを取得する取得手順と、
前記取得手順により取得されたデジタルデータからコンテンツを生成するための複数の処理を実行する処理手順と、
前記処理手順により実行可能な複数の処理の中から前記処理手順が実行する処理を前記再生装置が決定できるように、前記処理手順により実行可能な複数の処理の種別と、前記処理手順により実行可能な複数の処理のうち、前記取得手順によるデジタルデータの取得時に設定されていた処理の種別とを前記再生装置において特定可能とするコンテンツ情報を、前記再生装置からのリクエストに応じて、前記再生装置へ送信する送信手順と
を実行させることを特徴とするプログラム。
【請求項１４】
コンテンツ提供装置からネットワークを介して受信したコンテンツを再生する再生装置が行う処理方法であって、
前記コンテンツ提供装置が取得したデジタルデータからコンテンツを生成するために当該デジタルデータに対して実行可能な複数の処理の種別と、前記コンテンツ提供装置により実行可能な複数の処理のうち、前記コンテンツ提供装置によるデジタルデータの取得時に設定されていた処理の種別とを特定可能とするコンテンツ情報を、前記コンテンツ提供装置から受信する受信工程と、
前記受信工程により受信された前記コンテンツ情報が示す処理の種別のうち、前記コンテンツ提供装置に実行させる処理の種別を決定する決定工程と、
前記決定工程により決定された処理の種別を指定する指定情報を、前記コンテンツ提供装置に送信する送信工程と
を有することを特徴とする処理方法。
【請求項１５】
コンテンツ提供装置からネットワークを介して受信したコンテンツを再生するコンピュータに、
前記コンテンツ提供装置が取得したデジタルデータからコンテンツを生成するために当該デジタルデータに対して実行可能な複数の処理の種別と、前記コンテンツ提供装置により実行可能な複数の処理のうち、前記コンテンツ提供装置によるデジタルデータの取得時に設定されていた処理の種別とを特定可能とするコンテンツ情報を、前記コンテンツ提供装置から受信する受信手順と、
前記受信手順により受信された前記コンテンツ情報が示す処理の種別のうち、前記コンテンツ提供装置に実行させる処理の種別を決定する決定手順と、
前記決定手順により決定された処理の種別を指定する指定情報を、前記コンテンツ提供装置に送信する送信手段と
を実行させることを特徴とするプログラム。
【手続補正２】
【補正対象書類名】明細書
【補正対象項目名】００１４
【補正方法】変更
【補正の内容】
【００１４】
上記課題を解決するために、本発明のコンテンツ提供装置は、例えば、以下の構成を有する。すなわち、ネットワークを介して再生装置にコンテンツを提供するコンテンツ提供装置であって、デジタルデータを取得する取得手段と、前記取得手段により取得されたデジタルデータからコンテンツを生成するための複数の処理を実行する処理手段と、前記処理手段により実行可能な複数の処理の中から前記処理手段が実行する処理を前記再生装置が決定できるように、前記処理手段により実行可能な複数の処理の種別と、前記処理手段により実行可能な複数の処理のうち、前記取得手段によるデジタルデータの取得時に設定されていた処理の種別を前記再生装置において特定可能とするコンテンツ情報を、前記再生装置からのリクエストに応じて、前記再生装置へ送信する送信手段とを有する。